(57)【要約】  本発明は、電解コンデンサの圧力開放機構が開放された場合でも、安全弁から気化した電解液の噴出を防止することができる電解コンデンサに関するものである。本発明によれば電解コンデンサの外装ケース１２の底面に形成した安全弁１４の上部に電解液の吸収剤２２を配置する。この電解液の吸収剤２２には、該安全弁１４に対応する位置に金属箔等の薄板２５が設けられ、安全弁１４が開弁された際に気化した電解液を前記薄板２５に沿ってその周囲に拡散させることによって、電解液の吸収剤２２の吸収機能を効率よく高め、気化した電解液の電解コンデンサ外部への噴出を防止する。
2011122038.tif 000002
【特許請求の範囲】
【請求項１】
陽極箔と陰極箔とをセパレータを介して巻回又は積層したコンデンサ素子に電解液を含浸して、有底筒状の外装ケースに収納し、前記外装ケースの開口端部を封口部材によって封口した電解コンデンサにおいて、
前記外装ケースには、前記電解コンデンサの内圧を開放する圧力開放機構が設けられ、この圧力開放機構の外部に、薄板と電解液の吸収剤を順次配置した電解コンデンサ。
【請求項２】
前記薄板は、金属箔からなる請求項１に記載の電解コンデンサ。
【請求項３】
前記薄板は、複数の貫通孔を有する請求項１または２に記載の電解コンデンサ。
【請求項４】
前記外装ケースには、その底面に前記圧力開放機構である安全弁が形成されるとともに、前記外装ケースの外周を囲うように突出した鍔部を有し、前記底面と前記鍔部によって形成される収納空間に、前記電解液の吸収剤が収納されている請求項１ないし３に記載の電解コンデンサ。
【請求項５】
前記収納空間に前記電解液の前記吸収剤を収納するとともに、固定手段を前記収納空間に挿入し、前記電解液の前記吸収剤を前記収納空間内に押圧固定させた請求項４に記載の電解コンデンサ。
【請求項６】
少なくとも前記固定手段の外縁部が弾性力を有し、前記収納空間の内壁に圧入され、前記弾性力をもって押圧固定した請求項５に記載の電解コンデンサ。
【請求項７】
前記固定手段は、貫通孔を備えている請求項５または６に記載の電解コンデンサ。
【請求項８】
前記電解液の前記吸収剤がシクロデキストリンである請求項１ないし７いずれか１つに記載の電解コンデンサ。
【請求項９】
前記電解液の吸収剤の搭載量は、電解コンデンサに含まれる電解液量を１とした場合の重量比で０．３以上である請求項１ないし８いずれか１つに記載の電解コンデンサ。
【発明の詳細な説明】
【技術分野】
【０００１】
本発明は電子機器に使用される電解コンデンサに関するものである。
【背景技術】
【０００２】
一般に電解コンデンサは、定格電圧より高い過電圧が印加された場合には、電界コンデンサの内部での温度上昇によりコンデンサ素子に含浸された電解液を構成する有機溶媒が気化し、また電気化学反応により水素ガスが発生するため、外装ケースの内圧は上昇する。このときガスの放出口がない場合、外装ケースの内圧が外装ケースの封口部材による封口力を上回れば、封口部材が外装ケースから外れて外装ケース外に飛び出すか、あるいは外装ケースが飛び跳ねることがある。【０００３】
したがって従来の電解コンデンサでは、通常、外装ケースの底面に薄肉部よりなる機械的脆弱部を設けており、そしてこの外装ケースの内圧が異常に上昇したときには、機械的脆弱部が破断して内圧を開放し、この開放部から前記気化した電解液や水素ガスを外部に放出するため、上記のように封口部材が外装ケースから外れて外装ケース外に飛び出したり、外装ケースが飛び跳ねることには至らないものである。【０００４】
しかしながら、上記構成によれば、この外部に放出された気化した電解液が電解コンデンサをセットした機器の内部を汚し、また火災による煙と間違えるという問題点があった。【０００５】
上記問題点を解決するために、例えば実開平０１−１２９８１９号公報（特許文献１）に記載されているような電解コンデンサが提案されている。この公報で開示された電解コンデンサは、圧力開放機構を形成した外装ケースの底面を、電解液を吸収する性質および通気性を有する被覆材（スポンジやフェルト材）で被覆していた。この構成によれば、異常時に圧力開放機構が作動した場合、電解液は被覆材に吸収されるため、外部に放出されることはないとされる。【０００６】
また、特開平０５−１３２８９号公報（特許文献２）に記載されているように、電解液を含浸させたコンデンサ素子と、このコンデンサ素子を内蔵する有底筒状の外装ケースと、コンデンサ素子より導出された一対のリード線と、外装ケースの開口部を封口する封口部材とを備え、外装ケースの底面に設けられた圧力開放機構の上方に、電解液をゲル化する性質を有する粒状のゲル化剤を配置した電解コンデンサも提案されている。【０００７】
この特許文献２に記載された電解コンデンサによれば、外装ケースの底面に設けられた圧力開放機構の上方に電解液をゲル化する性質を有する粒状のゲル化剤を配置したもので、この電解コンデンサが大量の電解液を有する大形のアルミ電解コンデンサの場合、定格電圧より高い過電圧が印加されると圧力開放機構が作動し、この開放された圧力開放機構より、大量の電解液と大量の水素ガスが噴出されることになるが、圧力開放機構の上方に粒状のゲル化剤を配置しているため、このゲル化剤の表面積の拡大により単位体積当たりの電解液ゲル化量の増大が図れるとともに、透気度の低下もなく、これにより、通気性を損なうことなく大量の電解液をゲル化して保持することができるため、外部への電解液の放出を未然に防ぐことができるとされる。
【先行技術文献】
【特許文献】
【０００８】
【特許文献１】実開平０１−１２９８１９号公報
【特許文献２】特開平０５−１３２８９号公報
【発明の概要】
【発明が解決しようとする課題】
【０００９】
上述した特許文献で開示された電解コンデンサでは、圧力開放機構の開放時に電解液の吸収剤により外装ケースの外部への電解液の放出を防止する機能を有するものである。通常、圧力開放機構が開放される場合は外装ケース内が高内圧となっているため、圧力開放機構からは水素ガスや気化した電解液が勢いよく放出される。このため水素ガスや気化した電解液は電解液の吸収剤を直線状に突き破り外部に噴出されやすい。このような状態では、該直線から外れた位置にある電解液の吸収剤は気化した電解液の吸収機能を発揮できない可能性がある。【００１０】
この発明は、上記の課題に鑑み、電解液の吸収剤等による気化した電解液の吸収効率を高め、電解コンデンサの圧力開放機構が開放された場合でも、圧力開放機構からの電解液の放出を防止する電解コンデンサの提供を目的とする。
【課題を解決するための手段】
【００１１】
本発明の電解コンデンサは、陽極箔と陰極箔とをセパレータを介して巻回又は積層したコンデンサ素子に電解液を含浸して、有底筒状の外装ケースに収納し、外装ケースの開口端部を封口部材によって封口した電解コンデンサにおいて、前記外装ケースには、電解コンデンサの内圧を開放する圧力開放機構が設けられ、この圧力開放機構の外部に、薄板と電解液の吸収剤を順次配置したことを特徴としている。【００１２】
これによると、圧力開放機構に対応する電解液の吸収剤の面には、薄板が取り付けられているため、圧力開放機構の開放により放出された気化した電解液（その他水素ガス等）は、前記薄板に沿ってその周囲に拡散され、電解液の吸収剤に分散される。したがって、この電解液の吸収剤の広範囲に渡って気化した電解液が分散されるので、電解液の吸収剤の全体を利用することができる。そのことによって、電解液の吸収剤の吸収効率を高めることができ、圧力開放機構からの電解液の放出を防止することができる。【００１３】
また、前記薄板は、金属箔からなることを特徴としている。これによると、金属箔であれば薄くても強度を有するため、圧力開放機構から開放された気化した電解液が金属箔を突き破ることなく、該金属箔によってその周囲に拡散することができる。【００１４】
また、前記薄板は、複数の貫通孔を有することを特徴としている。これによると、圧力開放機構の開放により放出された気化した電解液（その他水素ガス等）は、前記薄板の周囲と、前記薄板に設けられた貫通孔のそれぞれに分散される。したがって、前記電解液の吸収剤全体の吸収機能をより有効に活用でき、前記電解液の吸収剤による気化した電解液の吸収効率を高め、圧力開放機構からの電解液の放出を防止することができる。【００１５】
また、外装ケースには、その底面に安全弁が形成されるとともに、外装ケースの外周を囲うように突出した鍔部を有し、この底面と鍔部によって形成される収納空間に、電解液の吸収剤が収納されていることを特徴としている。これによると、電解液の吸収剤を容易に圧力開放機構の外部に設置できる。【００１６】
また、前記収納空間に前記電解液の吸収剤を収納するとともに、固定手段を前記収納空間に挿入し、前記電解液の吸収剤を前記収納空間内に押圧固定させたことを特徴としている。これによると、前記固定手段により電解液の吸収剤を押圧するので、前記吸収剤の密度が高くなり、吸収率をさらに高めることができる。つまり、前記電解液の吸収剤を押圧することによって、粗となる部分が減少する。このため、圧力開放機構から開放された気化した電解液が前記吸収剤の粗の部分を通過し、吸収剤に吸収されることなく、外部に放出されることをさらに防止し、より吸収機能を高めることができる。【００１７】
また、前記固定手段は、少なくとも外縁部が弾性力を有し、前記収納空間に圧入し、前記弾性力を有する外縁部によって、前記収納空間の内壁を押圧して固定したことを特徴としている。これによると、電解コンデンサの圧力開放機構が開放し、噴出した気化した電解液によって前記吸収剤が前記収納空間の開口部側へ押圧した場合、前記固定手段の外縁部がその弾性力によって、開口部側への押圧力に反発し、前記吸収剤を押圧し、前記吸収剤が離脱することを防止する。また、前記収納部と接する前記固定手段の外縁部が弾性力を有することで、収納部開口部側への押圧力が大きいほど、外縁部は収納部内壁へ押圧され、より離脱し難くなる。【００１８】
また、前記固定手段は、貫通孔を備えていることを特徴としている。これによると、前記吸収剤には吸収されない水素ガス等を放出することができる。【００１９】
また、前記電解液の吸収剤がシクロデキストリンであることを特徴としている。これによるとシクロデキストリンは気化した電解液の吸収機能が優れているため、電解液の吸収剤の搭載量を少なくかつ薄くすることができ、電解コンデンサの小型化が可能となる。【００２０】
また、前記電解液の吸収剤の搭載量は、電解コンデンサに含まれる電解液量を１とした場合の重量比で０．３以上であることを特徴としている。これによると、電解コンデンサに含まれた電解液の重量を１とした場合の重量比で、電解液の吸収剤の重量を０．３以上搭載することで電解コンデンサの外部へ煙状となって流出することを確実に防止できる。
【発明の効果】
【００２１】
以上本発明によると、電解コンデンサの内圧が上昇し、電解コンデンサの圧力開放機構が開放され、気化した電解液が放出された場合でも、圧力開放機構の上方に薄板が貼り付けられた電解液の吸収剤が配置されているため、該薄板により気化した電解液はその周囲に拡散され、電解液の吸収剤の吸収効率を高めることができ、気化した電解液が外部に放出されることがない。これによって、放出された気化した電解液が電解コンデンサをセットした機器の内部を汚し、また火災による煙と間違えるという問題点を解決することができる。
【図面の簡単な説明】
【００２２】
【図１】この発明の電解コンデンサの実施例を示す断面図である。
【図２】この発明の電解コンデンサの別の実施例を示す断面図である。
【図３】この発明の電解コンデンサの固定手段を示す断面図であって、（ａ）は固定手段を安全弁側から示す図であり、（ｂ）は破線Ａ−Ａに沿って矢印方向に見た側面図である。
【図４】この発明の電解コンデンサの別の実施例を示す断面図である。
【図５】この発明の電解コンデンサの別の実施例を示す断面図である。
【発明を実施するための形態】
【００２３】
以下、本発明の実施形態について説明する。
【００２４】
本発明は、外装ケースや封口体等に設けられた圧力開放機構の外部に、気化した電解液を吸収する電解液の吸収剤を配置するとともに、該電解液の吸収剤における圧力開放機構の側の面に薄板が取り付けられているものである。
【００２５】
以下、本発明の実施例を図面に基づいて説明する。
【実施例１】
【００２６】
実施例１に係る電解コンデンサにつき、図１を参照して説明する。図１はこの発明の電解コンデンサの断面図を示す。コンデンサ素子１１は、アルミニウム箔をエッチングにより粗面化し、陽極酸化処理により誘電体酸化皮膜を形成した陽極箔と、アルミニウム箔をエッチングにより粗面化した陰極箔をセパレータとともに巻回することにより構成している。なお、陽極箔と陰極箔とをセパレータを介して積層する積層型コンデンサ素子を用いてもよい。陽極箔と陰極箔には、それぞれ外部引き出し用の引出端子１３が接続され、巻回されたコンデンサ素子１１の一方の端面から導出されている。【００２７】
そしてこのコンデンサ素子１１に電解液を含浸させるとともに、このコンデンサ素子１１は、アルミニウムよりなる有底筒状の外装ケース１２内に収納される。外装ケース１２の底面には、外装ケース１２の底面の中心から放射状に切り溝を形成して機械的脆弱部とした安全弁１４（圧力開放機構）が形成されている。なお、本発明でいう圧力開放機構としては、この外装ケース１２に設けた安全弁１４に限定されるものではなく、外装ケース１２に貫通孔を設け、この貫通孔を塞ぐゴム等のフィルターなども挙げられ、またこの圧力開放機構の設置箇所も外装ケース１２の底面に限定されるものではなく、外装ケース１２の側面やその他封口部材に設置してもよい。【００２８】
外装ケース１２の開口端部には、封口部材１５が収納される。この封口部材１５には一対の外部端子１３が封口部材１５を貫通し、封口部材１５の外部に導出される。また、封口部材１５は外装ケース１２の開口端部をカーリング加工することによって固定され、電解コンデンサを密封する。【００２９】
また外装ケース１２の底面の安全弁１４の外部には、電解液の吸収剤２２が配置される。電解液の吸収剤２２を安全弁１４の外部に配置する手段としては、金属製の有底筒状の保持部材２０を用意し、この保持部材２０内に電解液の吸収剤２２を充填して、外装ケース１２の底面に配置する方法がある。【００３０】
より詳細には、外装ケース１２の底面から外装ケース１２の周囲を囲うように突出した鍔部１２ａを形成し、この鍔部１２ａと外装ケース１２の底面によって収納空間を形成する。この収納空間に電解液の吸収剤２２を収納した保持部材２０を収納し、該保持部材２０を固定することで、電解液の吸収剤２２が外装ケース１２に取り付けられる。【００３１】
この保持部材２０は、外装ケースの底面に設けられた収納空間を覆う外形状とした有底筒状の金属等からなり、その内部空間には電解液の吸収剤２２が収納されている。電解液の吸収剤２２は、粉体等で構成される場合が多い。この粉体状の吸収部の脱落することを防止するためのフィルター部材２３、２４を電解液の吸収剤２２の両面に配置し、電解液の吸収剤２２をフィルター部材２３，２４にて挟み込んだ積層体構造をなしている。保持部材２０の底面には、切り溝を形成して機械的脆弱部となる安全弁１４ａが設けられ、該保持部材２０の底面側に、前記積層体のフィルター２３が当接するように配置して保持部材２０内に電解液の吸収剤２２が収納される。なお、フィルター部材２４の外面には、接着剤等によって薄板２５が貼り付けられている。この電解液の吸収剤２２の積層体を収納した保持部材２０を前記外装ケース１２の底面側に設けられた収納空間に、その底面に設けられた安全弁１４に対応する位置に、前記フィルター部材２４に取り付けられた薄板２５がくるように積層体を配置して収納し、鍔部１２ａの先端をカーリング加工によって、フィルター部材２４及び薄板２５を外装ケース１２の底面に当接させ、該電解液の吸収剤２２の積層体を固定する。この際に保持部材２０の開口端が外装ケース１２の底面に押圧されて密着されることになる。なお、フィルター部材２４に貼り付けられた薄板２５としては、金属箔や樹脂板が挙げられる。この薄板２５は、厚さ５０μｍ程度の円形の薄板である。なお、フィルター部材２３，２４はセルロース繊維からなる薄紙部材や活性炭シート、さらにはフィルムに貫通孔を設けた多孔質部材などが用いられる。【００３２】
なお、電解液の吸収剤２２としては、各種の材料が用いられる。例えば、濾紙などの紙、ポリエステルやポリアミド製などの不織布、スポンジ、フェルトやその他、気化した電解液を吸収可能な物質（合成高分子）、ゲル化により電解液を吸収するゲル化剤等が挙げられる。このような電解液の吸収剤２２の中でも、シクロデキストリンを用いることが好ましい。【００３３】
シクロデキストリンは、環状オリゴ糖とも言われ、ブドウ糖が連なってできたオリゴ糖の両端がつながって環状を構成する。このうちブドウ糖が６つ結合して環状になったものが「α−シクロデキストリン」、７つ結合して環状になったものが「β−シクロデキストリン」、８つ結合して管状になったものが「γ−シクロデキストリン」と呼ばれる。【００３４】
そして、シクロデキストリンの環状構造の内部は他の比較的小さな分子を包接できる程度の大きさの空孔となっている。空孔の内径はα−シクロデキストリンで０．４５−０．６ｎｍ、β−シクロデキストリンで０．６−０．８ｎｍ、γ−シクロデキストリンで０．８−０．９５ｎｍ程度とされる。また、シクロデキストリンは空孔部が親油性、外部が親水性を有するとされている。【００３５】
このようなシクロデキストリンが電解液の吸収剤２２として機能するのは、気化した電解液成分がシクロデキストリンの空孔に包接されるためと考えられる。【００３６】
これらのシクロデキストリンのうちもっとも好ましいのはβ−シクロデキストリンである。シクロデキストリンを電解液の吸収剤２２として用いれば、圧力開放機構が開放した状態でも、電解コンデンサの外部への気化した電解液の放出を防止することができるという点では、いずれも効果的であったが、中でもβ−シクロデキストリンを電解液の吸収剤２２として用いた場合には、その重量が少量でも、電解液の吸収効果が得られた。これにより防煙対策として良好である。【００３７】
β−シクロデキストリンが電解液の吸収剤２２として好適である理由は明らかではないが、空孔の大きさが影響を及ぼしているものと考えられる。すなわち、シクロデキストリンのα体、β体、γ体はそれぞれ空孔の大きさが異なるが、気化した電解液を包接するのに好適な空孔の大きさであると推察される。また、α−シクロデキストリンとγ−シクロデキストリンは水溶性であるが、β−シクロデキストリンは難水溶性である性質が関係することも考えられる。コンデンサ素子や電解液には水分が含まれている場合があり、この圧力開放機構が開放された際には、水分も水蒸気として放出される。β−シクロデキストリンは難水溶性であるため、水蒸気に溶け出して水蒸気とともに電解コンデンサの外部へ放出される等の現象が生じにくいため電解液の吸収機能が十分に発揮されるとも考えられる。【００３８】
このような電解コンデンサ１０では、外装ケース１２内の内圧が上昇して安全弁１４が開弁した場合、気化した電解液は安全弁１４を通過して保持部材２０内に放出する。外装ケース１２の底面と鍔部１２ａによって形成された所定空間は保持部材２０によって塞がれており、気化した電解液は一旦保持部材２０内に留まることになる。この際に電解液の吸収剤２２によって、気化した電解液は取り込まれる。さらに、保持部材２０内の内圧が水素ガス等の発生によって上昇すると保持部材２０に設けられた安全弁１４ａが開弁する。この際、気化した電解液は電解液の吸収剤２２に取り込まれているため、水素ガスは外部に放出されるものの、気化した電解液は電解液吸収剤２２に取り込まれているため外部に放出されることはない。また、前記保持部材２０はアルミニウム等の金属にて構成することで、気化した電解液が勢いよく放出された場合であっても、保持部材２０が変形することなく、気化した電解液を保持部材２０内に留めることができる。【００３９】
また、前記外装ケース１２は、その底面と鍔部１２ａとの連結部１６が底面から鍔部にかけて傾斜状となっているため、外装ケース１２の底面と鍔部１２ａとの強度が高められ、安全弁１２ａが開放され気化した電解液が勢いよく放出された場合であっても、保持部材２０と外装ケース１２の底面との間に隙間等が生じず、安全弁１４からの電解液の放出を防止できる。【００４０】
ここで、フィルター部材２４に貼り付けられた薄板２５の機能について説明すると、安全弁１４から放出された気化した電解液は、薄板２５によってその周囲に拡散され、フィルター部材２４に分散される。通常安全弁１４が開弁する場合は外装ケース１２内が高内圧となっているため、安全弁１４からは水素ガスや気化した電解液が勢いよく放出される。この薄板２５を設置しない場合は、水素ガスや気化した電解液はフィルター部材２３，２４や電解液の吸収剤２２を直線状に突き破り外部に噴出されやすい。このような状態では、該直線から外れた位置にある電解液の吸収剤２２は気化した電解液の吸収機能を発揮できない可能性がある。したがって、フィルター部材２４に貼り付けられた薄板２５が安全弁１４を覆うように配置し、安全弁１４から放出された気化した電解液を該薄板２５に沿って周囲に分散させることが好ましい。この薄板２５の外周縁近傍には、貫通孔を設けてさらに気化した電解液を分散させやすくしても良い。また、フィルター部材２４にも、電解液の吸収剤２２の保持する機能に加え、フィルター部材２４の表面状態や密度を適宜設定して、気化した電解液を分散させる機能を持たせるとよい。この分散機能を考慮するとフィルター部材２４をフィルター部材２３より厚く設定するとよい。【００４１】
次にこの電解液の吸収剤２２の搭載量について記載する。電解液の吸収剤２２は、電解コンデンサに含まれる電解液の量によって、その電解液の吸収効果が変化する。電解液量に対して電解液の吸収剤２２の量が少ないと、圧力開放機構が開放された際に気化した電解液の取り込み量が少なくなり、気化した電解液が外部に流出し、視認できる程度の煙となってしまう。そこで電解液の重量と電解液の吸収剤２２の重量を検討したところ、電解コンデンサに含まれた電解液の重量を１とした場合の重量比で、電解液の吸収剤２２の重量を０．３以上搭載することで電解コンデンサの外部へ煙状となって流出することを防止できることが分かった。また電解液の吸収剤２２の重量については０．３以上搭載することで電解コンデンサの初期の場合であっても寿命末期の状態でも総じて電解液の吸収効果が得られることが分かった。
【実施例２】
【００４２】
次に、実施例２に係る電解コンデンサにつき、図２及び図３を参照して説明する。図２は、実施例２に係る発明の電解コンデンサを示す断面図である。図３は、固定手段を安全弁側から示す図（ａ）及び、破線Ａ−Ａに沿って矢印方向に見た側面図（ｂ）である。尚、前記実施例１に示される構成部分と同一構成部分については同一符号を付して重複する説明を省略する。【００４３】
まず実施例２では、保持部材２０を用いずに、図２に示すようにフィルター部材２３，２４に挟み込まれた電解液の吸収剤２２の積層体を外装ケース１２の収納空間に薄板２５と共に配置する。【００４４】
その後、図３（ａ）、（ｂ）に示すような固定手段２６を収納空間に挿入し、電解液の吸収剤２２を薄板２５に向って押圧して固定する。これによると、電解液の吸収剤を押圧するので、前記吸収剤の密度が高くなり、吸収率をさらに高めることができる。つまり、前記吸収剤２２を押圧することによって、粗となる部分が減少する。このため、圧力開放機構から開放され、噴出した気化した電解液が前記吸収剤の粗の部分を通過し、吸収剤に吸収されずに外部へ放出されることをさらに防止できる。【００４５】
ここで、固定手段２６について説明する。固定手段２６は電解液の吸収剤を押圧する押圧部２７と収納空間の内壁を押圧して固定手段２６を固定する外縁部である突片部２８とからなる。押圧部２７には複数の貫通孔２９が設けられている。このようにすることで、前記吸収剤２２には吸収されない水素ガス等を放出することができる。また、固定手段２６の部材としては、弾性力を有しているものが好ましく、例えばアルミニウム等の金属や樹脂で形成することができる。弾性力を有することによって、電解コンデンサの圧力開放機構１４が開放されて、図２の矢印Ａに示すように、気化した電解液が前記吸収剤２２を前記収納空間の開口部側へ押圧しても、前記固定手段２６が有する弾性力によって、開口部側への押圧力を吸収し、前記固定手段２６が離脱することを防止する。また、前記収納部と接する前記固定手段２６の突片部２７が弾性力を有することで、矢印Ｂに示す力が働き、収納部開口部側への押圧力（矢印Ａ）が大きいほど、突片部２７は収納部位内面部側へ押圧され、より離脱し難くなる。【００４６】
以上、本発明の実施例を図面により説明してきたが、具体的な構成はこれら実施例に限られるものではなく、本発明の要旨を逸脱しない範囲における変更や追加があっても本発明に含まれる。【００４７】
例えば、実施例２では、電解液の吸収剤２２を固定手段２６によって押圧固定しているが、この固定手段２６を用いずに、図４に示すようにフィルター部材２３，２４にて挟み込まれた電解液の吸収剤２２の積層体を外装ケース１２の収納空間に直接配置して外装ケース１２の鍔部をカーリング処理して固定しても良い。【００４８】
また、実施例では、外装ケース１２の底面から外装ケース１２の周囲を囲うように突出した鍔部１２ａを形成し、この鍔部１２ａと外装ケース１２の底面によって収納空間を形成し、この収納空間に、電解液の吸収剤２２を配置した保持部材２０を収納して電解コンデンサに電解液の吸収剤２２を取り付けているが、本発明ではこれに限るものではなく、図４に示すように、外装ケース１２の底面には鍔部１２ａを設けず（収納空間を設けない）、電解液の吸収剤２２を収納した保持部材２０を接着剤や溶接等によって外装ケース１２の底面に固定してもよい。【００４９】
また、実施例では保持部材２０の底面には安全弁１４ａを設けているが、本発明ではこれに限るものではなく、図５に示すように、安全弁１４ａに代えて貫通孔２１を複数設けることもできる。【００５０】
また、実施例では、電解液の吸収剤２２の両面に薄板状のフィルター部材２３，２４を設けて挟み込んでいるが、本発明ではこれに限らず、袋状のフィルター部材を用い電解液吸収剤を包むようにしても良い。【００５１】
また、実施例２では、固定手段の外縁部を突片部２８とし、その全てが内壁を押圧しているが、これに限らず、突片部２８の端部が収納空間に挿入した際に、収納空間の径より内側となるように形成した突片部と、収納空間の径より外側に突片部の端部が位置し、挿入時に収納空間の内壁を押圧するように挿入される突片部の２種の突片部を形成してもよい。このようにすることで、端部が収納空間の径より内側となる突片部により、電解液の吸収剤の外側部分についても押圧され、電解液の吸収剤の全体の密度が高くなり、電解液の吸収剤の端部を通過する電解液に対する吸収率も高くすることができる。また、挿入時に収納空間の内壁を押圧するように挿入される突片部２８により、固定手段の離脱を防止することができる。【００５２】
また、突片部２８を設けることなく、固定手段全体を収納空間部の開口部より大きく形成し、その固定手段の外縁部に弾性力を持たせることで、挿入時に内壁に外縁部が押圧して、固定手段２６を固定してもよい。
【符号の説明】
【００５３】
１０  電解コンデンサ
１１  コンデンサ素子
１２  外装ケース
１２ａ  鍔部
１３  外部端子
１４  安全弁
１４ａ安全弁
１５  封口部材
１６  連結部
２０  保持部材
２１  貫通孔
２２  電解液の吸収剤
２３  フィルター部材
２４  フィルター部材
２５  薄板
２６  固定手段
２７  押圧部
２８  突片部
２９  貫通孔
【図１】
2011122038.tif 000003
【図２】
2011122038.tif 000004
【図３】
2011122038.tif 000005
【図４】
2011122038.tif 000006
【図５】
2011122038.tif 000007
【国際調査報告】
2011122038.tif 000008
2011122038.tif 000009
2011122038.tif 000010
2011122038.tif 000011